(57)【要約】【課題】  エアコン用熱交換器のアルミニウムフィンに付着した汚れに対して優れた洗浄効果と消臭効果を提供する。【解決手段】  アルミニウムフィンの汚れの洗浄に洗浄効果を発揮するｐＨ１０以上のアルカリ電解水と、アルミニウムフィン腐食防止のための珪酸塩、消臭補助剤として柿の搾汁液を含む洗浄剤組成物を直接またはエアゾール缶に充填してエアコン用熱交換器のアルミニウムフィンに噴霧する。【選択図】なし【特許請求の範囲】
【請求項１】
ｐＨ１０以上のアルカリ電解水、珪酸塩及び柿の搾汁液を含むことを特長とする洗浄剤組成物
【請求項２】
請求項１の柿の搾汁液が柿タンニンであることを特徴とする洗浄剤組成物
【請求項３】
請求項１ないし２に記載した洗浄剤はエアコン用洗浄剤であることを特徴とする洗浄剤組成物
【請求項４】
請求項１ないし３のいずれかに記載の洗浄剤組成物を用いてエアコンを洗浄することを特徴とする洗浄方法。
【発明の詳細な説明】
【技術分野】
【０００１】  本発明は、エアコン用熱交換器のアルミニウムフィン洗浄に使用する洗浄剤組成物及び洗浄方法に関する。
【背景技術】
【０００２】  エアコン室内機には熱交換用にアルミニウムフィンが組み込まれているのが一般である。
室内空気がアルミニウムフィンを通過する際、前段のフィルターで除去しきれない室内のほこりや油煙等がアルミニウムフィン表面に付着する。
さらに冷房運転時、アルミニウムフィン表面は結露状態となるためカビも発生しやすい。
そしてこれらを放置したまま稼働するとエアコン能力の低下とともに悪臭発生の原因となる。【０００３】  アルミニウムフィンに付着したほこり、油煙を洗浄する方法として中性またはアルカリ性の各種洗浄剤が市販されている。
中性タイプはアルミフィンにダメージを与えないが、洗浄力が弱い。
アルカリ性タイプは洗浄力が強力であるが、ｐＨが高いとアルミフィンを腐食する恐れがある。【０００４】  アルカリ洗浄剤のうち、アルカリ電解水を用いた洗浄剤がある。
アルカリ電解水は水の電気分解により生成したアルカリ性の水で、電解質として食塩、重曹、炭酸カリウム等を使用して生成する。
またアルカリ電解水は生成する電解装置の電解強度により各種ｐＨのアルカリ電解水が生成される。
ｐＨ９〜１０のアルカリ電解水は別名アルカリイオン水と呼ばれ、飲用電解水として利用されているが汚れの付着したアルミニウムフィンの洗浄について洗浄力が充分とは言えない。
一方ｐＨ１０以上のアルカリ電解水は洗浄力が強く、さらにｐＨの高いアルカリ電解水は除菌力、消臭力をあわせ持っている。
ｐＨ１０以上のアルカリ電解水は硫黄系悪臭のうち硫化水素に対しては強い消臭効果を示すが、メルカプタン類に対する消臭効果は弱い。【０００５】  メルカプタン類に対する消臭剤には、下記の出願が存在している。
【特許文献１】特開２００５−１１８２３０号公報
【０００６】  特許文献１では柿の搾汁液と水の混合溶液にアルカリ水溶液を添加することを特徴とする。
この特許文献１では実施例において硫化水素、メチルメルカプタンに対して効果を得ている。
【発明の開示】
【発明が解決しようとする課題】
【０００７】  特許文献１中には柿の搾汁液と水の混合溶液に添加するアルカリ水溶液の添加後の水素イオン指数ｐＨの範囲が記載されているが、ｐＨはｐＨ８．５〜９．０であることが望ましく、ｐＨ＝９．０より高いと還元力がより多く失われ消臭力が低下する旨の記載がある。
しかしながらアルミニウムフィンの洗浄にアルカリ電解水を利用する場合、ｐＨ１０以上が必須条件で、ｐＨ９以下では柿の搾汁液の添加により消臭効果が得られても洗浄力が不足するという問題があった。
【課題を解決するための手段】
【０００８】  本発明は洗浄剤として洗浄効果を発揮するｐＨ１０以上のアルカリ電解水を必須成分として、アルミニウムフィン腐食防止のための珪酸塩、消臭補助剤として柿搾汁液を含む事を特徴とする。
また上記洗浄剤組成物を直接またはエアゾール缶に充填してエアゾールスプレーとしたものをエアコン用熱交換器のアルミニウムフィンに噴霧する。
【発明の効果】
【０００９】  本発明の洗浄剤組成物をエアコン室内機のアルミニウムフィンに噴霧する事によりアルミニウムにダメージを与えること無くほこり、油煙等を洗浄することができる。
またｐＨ１０以上のアルカリ電解水は硫化水素などを消臭する消臭効果を有し、本発明の洗浄剤組成物の消臭効果が全て柿の搾汁液に起因するものでは無いため、本来柿の搾汁液の効果が低下するｐＨ９．０以上の範囲でもアルカリ電解水の消臭効果と柿の搾汁液の消臭効果が補完して消臭効果が発揮され、カビ臭などエアコンから発生する悪臭を消臭することができる。
【発明を実施するための最良の形態】
【００１０】  この発明に係る洗浄剤組成物は、アルカリ電解水、珪酸塩、柿タンニンを含有したｐＨ１０以上の洗浄成分からなっている。【００１１】  本発明はアルカリ電解水が主成分であるが、アルカリ電解水は水の電気分解により生成したアルカリ性の水で、電解質として食塩、重曹、炭酸カリウム等を使用して生成する。
アルカリ電解水はｐＨ１０以上でアルミニウムフィンに付着した汚れに対して優れた洗浄力を発揮する。
アルカリ電解水のｐＨはより望ましくはｐＨ１１〜１３で、ｐＨが高い方がほこり、油煙等の汚れの除去性に優れる。【００１２】  珪酸塩は水溶性の各種珪酸塩が配合可能で、アルミニウム腐食防止のため洗浄剤のｐＨに合わせて適宜配合量を調整する。【００１３】  柿タンニンは柿の搾汁液に含まれる成分で市販品としてはパンシル（リリース科学工業）がある。
消臭目的に合わせアルカリ電解水の消臭効果を補完する成分として適宜配合量を調整する事ができる。【００１４】  また、さらに洗浄力を向上させる場合には、界面活性剤を添加することも可能である。
【実施例】
【００１５】  実施例として表１に示す成分割合いで各種洗浄剤組成物を調整し、さらにＤＭＥを配合してエアゾール缶に充填してエアゾールスプレーを作成し、洗浄剤とした。
これらについて以下の試験を行った。【００１６】
【表１】
2014109069.tif 000002
【００１７】  １．洗浄試験
長年家庭内で使用されていたエアコン室内機より未洗浄状態のアルミニウムフィンを取り出し洗浄対象物とした。
洗浄対象物に洗浄剤を噴霧し洗浄後の外観より洗浄性を判断した。
洗浄後汚れが除去された状態・・・・・○
洗浄後汚れが残存している状態・・・×
また洗浄後に洗浄液を回収し、回収液の汚れから洗浄液の洗浄性を判断した。
回収液が汚れにより着色している状態・・・・・○
回収液が汚れを含まず着色していない状態・・・×
噴霧量は実使用にあわせ、エアコン１台当たりエアゾール１本（内容量４２０ｍＬ）とした。【００１８】  ２．アルミニウムに対する腐食性
アルミニウム板を表１に示す各種洗浄剤組成物に浸漬し、２４時間後取り出して外観変化を調査した。
２４時間後浸漬前と変化ない状態・・・○
２４時間後腐食が認められる状態・・・×【００１９】  ２．消臭試験
５Ｌのテドラーバッグに表１に示す各種洗浄剤組成物を２ｍＬ入れる。
その後悪臭成分を含む空気を３Ｌ充填し、２時間後に悪臭成分の濃度をガス検知管で測定した。
悪臭成分  １．硫化水素            初発ガス濃度１８ｐｐｍ
２．メチルメルカプタン  初発ガス濃度  ８ｐｐｍ
尚空試験も実施し、計算により求めた消臭率を表１に示す。【００２０】  比較例として表１に示す成分割合いで各種洗浄剤組成物を調整し、実施例と同様にエアゾールスプレーを作成後、実施例と同様の試験を行った結果を表１に示す。
【産業上の利用可能性】
【００２１】  本発明洗浄剤組成物はエアコン室内機のアルミニウムフィンに付着する汚れ成分に対する洗浄効果及び汚れ成分から発生する悪臭に対して消臭効果が有り、直接またはエアゾール缶に充填してアルミニウムフィンに噴霧する事によりエアコン稼働時に発生する悪臭を防止し、さらに冷房能力、暖房能力の低下を防止することができる。